(57)【要約】【課題】  より多くの種類の演出を楽しめると共に、より面白い演出を楽しむことができる化粧玩具および化粧玩具用装着体を提供する。【解決手段】  化粧玩具１０は、化粧料容器を模した玩具本体２０と、化粧用パフを模して形成され玩具本体２０に収納可能な模型体６０と、を有してなり、識別情報を有する装着体１１が玩具本体２０に装着可能なものである。玩具本体２０は、装着体１１が着脱される着脱部４０と、着脱部４０に装着された装着体１１の識別情報を検知する突起検知部４７と、を有する。模型体６０は、突起検知部４７により取得された識別情報に基づいて発光する発光部７３を有する。【選択図】  図２
2013111474.tif 000002
【特許請求の範囲】
【請求項１】
化粧料容器を模した玩具本体と、化粧用具を模して形成され前記玩具本体に収納可能な模型体と、を有してなり、識別情報を有する装着体が前記玩具本体に装着可能な化粧玩具であって、
前記玩具本体は、前記装着体が着脱される着脱部と、前記着脱部に装着された前記装着体の識別情報を検知する情報検知部と、を有し、
前記模型体は、前記情報検知部により取得された前記識別情報に基づいて演出を行う演出部を有することを特徴とする化粧玩具。
【請求項２】
前記玩具本体は、前記情報検知部により取得された前記識別情報を送信する送信部を有し、
前記模型体は、前記送信部により送信された前記識別情報を受信する受信部を有することを特徴とする請求項１に記載の化粧玩具。
【請求項３】
前記玩具本体は、前記識別情報に基づいて発光する複数の発光部を有することを特徴とする請求項２に記載の化粧玩具。
【請求項４】
前記玩具本体は、前記模型体を収納する凹状の収納部と、
前記収納部の周縁に沿って設けられ前記収納部に収納された模型体を保持する複数の保持部と、を有することを特徴とする請求項１〜３のいずれかに記載の化粧玩具。
【請求項５】
前記着脱部に装着される前記装着体を挟んで一側および他側に形成され、使用者の指が挿入可能な窪み部を有することを特徴とする請求項１〜４のいずれかに記載の化粧玩具。
【請求項６】
前記装着体は、装飾部と、前記装飾部の裏側に設けられる嵌合部と、を有し、
前記玩具本体は、第１の部材と、前記第１の部材に取り付けられる第２の部材と、を有し、
前記着脱部は、前記嵌合部が嵌合される嵌合穴を有するものであり、
前記嵌合穴の深さは、前記嵌合部が前記嵌合穴に嵌合された状態で、前記装飾部の上面と前記第１の部材の表面とをほぼ同一平面上に位置させる大きさに設定されることを特徴とする請求項２〜５のいずれかに記載の化粧玩具。
【請求項７】
前記送信部は、前記装着体が前記着脱部に装着されたとき、前記識別情報を送信することを特徴とする請求項２〜６のいずれかに記載の化粧玩具。
【請求項８】
前記玩具本体は、前記模型体により押圧可能な押圧部を有し、
前記送信部は、前記装着体が前記着脱部に装着され、かつ、前記押圧部が押圧されたとき、前記識別情報を送信することを特徴とする請求項２〜６のいずれかに記載の化粧玩具。
【請求項９】
前記送信部および前記押圧部は、前記第１の部材の表面のほぼ中央に設けられることを特徴とする請求項８に記載の化粧玩具。
【請求項１０】
前記第２の部材は、一方側に鏡部および前記凹状の収納部が設けられることを特徴とする請求項６〜９に記載の化粧玩具。
【請求項１１】
前記模型体は、使用者に把持される把持部と、前記把持部の裏側に設けられ化粧用パフを模したパフ部と、を有し、
前記把持部は、使用者の指によって挟まれる軸部を有し、
前記軸部は、使用者の指の太さに合わせて軸方向の長さが調整可能であることを特徴とする請求項１〜１０のいずれかに記載の化粧玩具。
【請求項１２】
前記演出部は、前記模型体に内蔵される発光部であり、
前記発光部からの光は、前記パフ部を通して外部から視認可能であることを特徴とする請求項１１に記載の化粧玩具。
【請求項１３】
請求項１〜１２のいずれかに記載の化粧玩具に装着される装着体であって、
複数の突起を有し、
前記複数の突起のうち、少なくとも１個の突起は、前記装着体の位置を規制する位置決め用突起であり、少なくとも１個の突起は、前記識別情報を構成する識別用突起であることを特徴とする化粧玩具用装着体。
【請求項１４】
前記着脱部は、前記位置決め用突起を案内する案内部と、前記案内部の周囲に出没可能に設けられ前記装着体に係合可能な係合部と、を有するものであることを特徴とする請求項１３記載の化粧玩具用装着体。
【発明の詳細な説明】
【技術分野】
【０００１】
本発明は、化粧玩具および化粧玩具用装着体に関し、より詳細には、装着体を玩具に装着することで、光などによる演出を行う技術に関するものである。
【背景技術】
【０００２】
従来、装着体を玩具に装着することにより、音や光による演出を行う技術が知られている（たとえば、特許文献１参照）。
【０００３】
特許文献１に開示されるコンパクト玩具は、音声発生手段および発光手段と、これらの音声発生手段および発光手段を作動させる２種類のスイッチと、玩具本体に着脱可能な指輪を模した装飾品と、を有する。２種類のうち一方のスイッチは、使用者の手によって直接操作され、他方のスイッチは、装飾品の着脱によってＯＮ・ＯＦＦされる。
【０００４】
このコンパクト玩具によれば、使用者は、一方のスイッチを直接操作することに加え、装飾品の着脱により他方のスイッチを操作することでも、音声発生手段および発光手段を作動させることができ、複数種の演出を楽しむことができる。
【０００５】
ところで、近年、面白い玩具が求められる中、より多くの種類の演出が得られ、しかも、より楽しい演出が得られる技術が求められている。
【先行技術文献】
【特許文献】
【０００６】
【特許文献１】実公平７−３００６９号公報（第２図）
【発明の概要】
【発明が解決しようとする課題】
【０００７】
しかしながら、前述した特許文献１のコンパクト玩具においては、複数種の演出が得られるものの、演出の種類は、玩具本体に設けられるスイッチの個数に応じた程度にとどまる。このため、より多くの種類の演出が楽しめる玩具が望まれる。
【０００８】
また、特許文献１のコンパクト玩具は、演出を行う手段についても、単に電球と発音器を玩具本体に設けただけの構成であり、より楽しい演出を求める使用者には、面白味に欠ける。
【０００９】
そこで、本発明は、上記の問題を鑑みてなされたものであり、より多くの種類の演出を楽しめると共に、より面白い演出を楽しむことができる化粧玩具および化粧玩具用装着体を提供することを目的とする。
【課題を解決するための手段】
【００１０】
本発明は、以下に示す構成によって把握される。
（１）本発明の化粧玩具は、化粧料容器を模した玩具本体と、化粧用具を模して形成され、前記玩具本体に収納可能な模型体と、を有してなり、識別情報を有する装着体が前記玩具本体に装着可能な化粧玩具であって、前記玩具本体は、前記装着体が着脱される着脱部と、前記着脱部に装着された前記装着体の識別情報を検知する情報検知部と、を有し、前記模型体は、前記情報検知部により取得された前記識別情報に基づいて演出を行う演出部を有することを特徴とする。
【００１１】
（２）本発明の化粧玩具では、（１）の構成において、前記玩具本体は、前記情報検知部により取得された前記識別情報を送信する送信部を有し、前記模型体は、前記送信部により送信された前記識別情報を受信する受信部を有することを特徴とする。
（３）本発明の化粧玩具は、（２）の構成において、前記玩具本体は、前記識別情報に基づいて発光する複数の発光部を有することを特徴とする。
【００１２】
（４）本発明の化粧玩具は、（１）〜（３）のいずれかの構成において、前記玩具本体は、前記模型体を収納する凹状の収納部と、前記収納部の周縁に沿って設けられ前記収納部に収納された模型体を保持する複数の保持部と、を有することを特徴とする。
（５）本発明の化粧玩具は、（１）〜（４）のいずれかの構成において、前記着脱部に装着される前記装着体を挟んで一側および他側に形成され、使用者の指が挿入可能な窪み部を有することを特徴とする。
（６）本発明の化粧玩具では、（２）〜（５）のいずれかの構成において、前記装着体は、装飾部と、前記装飾部の裏側に設けられる嵌合部と、を有し、前記着脱部は、前記嵌合部が嵌合される嵌合穴を有し、前記玩具本体は、第１の部材と、前記第１の部材に取り付けられる第２の部材と、を有するものであり、前記嵌合穴の深さは、前記嵌合部が前記嵌合穴に嵌合された状態で、前記装飾部の上面と前記第１の部材の表面とをほぼ同一平面上に位置させる大きさに設定されることを特徴とする。
【００１３】
（７）本発明の化粧玩具では、（２）〜（６）のいずれかの構成において、前記送信部は、前記装着体が前記着脱部に装着されたとき、前記識別情報を送信することを特徴とする。
（８）本発明の化粧玩具は、（２）〜（６）のいずれかの構成において、前記玩具本体は、前記模型体により押圧可能な押圧部を有し、前記送信部は、前記装着体が前記着脱部に装着され、かつ、前記押圧部が押圧されたとき、前記識別情報を送信することを特徴とする。
【００１４】
（９）本発明の化粧玩具では、（８）の構成において、前記送信部および前記押圧部は、前記第１の部材の表面のほぼ中央に設けられることを特徴とする。
（１０）本発明の化粧玩具では、（６）〜（９）のいずれかの構成において、前記第２の部材は、一方側に鏡部および前記凹状の収納部が設けられることを特徴とする。
【００１５】
（１１）本発明の化粧玩具では、（１）〜（１０）のいずれかの構成において、前記模型体は、使用者に把持される把持部と、前記把持部の裏側に設けられ化粧用パフを模したパフ部と、を有し、前記把持部は、使用者の指によって挟まれる軸部を有し、前記軸部は、使用者の指の太さに合わせて軸方向の長さが調整可能であることを特徴とする。
（１２）本発明の化粧玩具では、（１１）の構成において、前記演出部は、前記模型体に内蔵される発光部であり、前記発光部からの光は、前記パフ部を通して外部から視認可能であることを特徴とする。
【００１６】
（１３）本発明の化粧玩具用装着体は、（１）〜（１２）のいずれかに記載の化粧玩具に装着される装着体であって、複数の突起を有し、前記複数の突起のうち、少なくとも１個の突起は、前記装着体の位置を規制する位置決め用突起であり、少なくとも１個の突起は、前記識別情報を構成する識別用突起であることを特徴とする。
（１４）本発明の化粧玩具用装着体では、（１３）の構成において、前記着脱部は、前記位置決め用突起を案内する案内部と、前記案内部の周囲に出没可能に設けられ前記装着体に係合可能な係合部と、を有するものであることを特徴とする。
【発明の効果】
【００１７】
本発明によれば、玩具本体とは別体の模型体において演出が行われるため、従来の玩具にはない面白い演出を楽しむことができる。また、この模型体における演出は、装着体の識別情報に基づいて行われるため、装着体を交換することで、使用者は、より多くの種類の演出を楽しむことができる。
【図面の簡単な説明】
【００１８】
【図１】本発明にかかる実施形態の化粧玩具の外観を示す斜視図である。
【図２】蓋体を開けた形態の化粧玩具の斜視図である。
【図３】化粧玩具の底面図である。
【図４】（ａ）は装着体の側面図、（ｂ）は（ａ）のＡ矢視図である。
【図５】（ａ）は着脱部の斜視図、（ｂ）は（ａ）のＢ矢視図である。
【図６】（ａ）は装着体および着脱部の平面図、（ｂ）は（ａ）のＣ−Ｃ線断面図である。
【図７】模型体の平面図である。
【図８】把持部およびパフ部の側面図である。
【図９】図８のＤ矢視図であり、把持部の裏面図である。
【図１０】模型体の収納形態を示す図であり、蓋体の裏面図である。
【図１１】基体および模型体の内部の構成例を示すブロック図である。
【図１２】化粧玩具の動作例を説明する図であり、（ａ）は装着体の作用を説明する図、（ｂ）は模型体の電源スイッチの操作を説明する図、（ｃ）は軸部の作用を説明する図である。
【図１３】化粧玩具の動作例を説明する図であり、（ａ）は押圧部の作用を説明する図、（ｂ）は模型体の発光部の作用を説明する図である。
【図１４】発光した模型体の使用例を説明する図である。
【発明を実施するための形態】
【００１９】
以下、添付図面を参照して、本発明を実施するための形態（以下、実施形態）について詳細に説明する。なお、実施形態の説明の全体を通して同じ要素には同じ番号を付している。
【００２０】
図１に示すように、本実施形態にかかる化粧玩具１０は、本発明の化粧玩具の一例であり、テレビ番組等の主人公のヒロインが携帯している化粧用コンパクトを模したものである。当該ヒロインは、番組上、化粧用コンパクトに様々な装着体を装着することで、化粧用コンパクトや化粧用パフから、装着体の種類に応じた音や光を出したり、発光した化粧用パフで体をたたいて変身したりする設定となっている。ここで、「変身」とは、ヒロインの化粧や髪型、衣服、靴、アクセサリー等が変化することを言う。使用者は、この化粧玩具により、当該ヒロインになりきる、いわゆる「なりきり遊び」をすることが可能である。
【００２１】
このような化粧玩具１０の全体構成を図２、図３に基づいて詳細に説明する。
図２に示すように、化粧玩具１０は、携帯型の化粧料容器（いわゆるコンパクト）を模して形成される玩具本体２０と、化粧用パフ（化粧用具の一例）を模して形成され、玩具本体２０に収納可能な模型体６０と、を有する。また、化粧玩具１０には、それぞれが異なる識別情報を有し、かつ、色や形、模様等の異なる複数の装着体（化粧玩具用装着体）１１が選択的に装着可能である。この例では、色（たとえば、赤、橙、黄、緑、青等）が互いに異なる７種の装着体１１Ａ〜１１Ｇのいずれか1個を化粧玩具１０に装着する。
【００２２】
玩具本体２０は、基体（第１の部材）２１と、基体２１にヒンジ部２２によって回動可能に取り付けられ、基体２１の表面２３側に開閉可能に合わさる蓋体２５と、を有する。
【００２３】
基体２１は、円盤状に形成される。円形の表面２３の奥側（ヒンジ部２２寄り）には、装着体１１が着脱される着脱部４０が設けられる。また、表面２３の中央部には、押圧部（たとえば、押しボタン式のスイッチ）２６と、装着体１１の識別情報を無線（たとえば、赤外線）で送信する送信部２７と、が設けられる。表面２３の中央部に押圧部２６と送信部２７とが設けられることから、化粧料容器内の仮想の化粧料を模型体６０のパフ部６２に付着させる動作により、確実にパフ部６２による押圧部２６への押圧操作と送信部２７からの識別情報の受信とを行うことができる。さらに、送信部２７および押圧部２６の周囲には、複数の発光部（たとえば、ＬＥＤ（発光ダイオード））（第１の発光部）２８Ａ〜２８Ｇが表面２３の外周に沿って等間隔に設けられる。ここでは、発光する色が互いに異なる７個の発光部２８Ａ〜２８Ｇが設けられる。７個の発光部２８Ａ〜２８Ｇの色は、７個の装着体１１Ａ〜１１Ｇの色に対応している。
【００２４】
蓋体２５は、腕状に形成されており、一方面側（裏側）に凹曲面状の収納部３１が形成される。収納部３１の底部には、円形の鏡部３２が設けられる。また、収納部３１の周縁には、所定の幅および高さを有する複数（ここでは、周方向に４個）の保持部３３が設けられる。保持部３３は、収納部３１の周縁から底部に向けて延びる。
【００２５】
図３に示すように、基体２１の底部には、電池（たとえば乾電池）３５が収納される。また、基体２１の底部には、メロディや音声を発生する発音部３６および電源スイッチ３７が設けられる。なお、発音部３６を設ける位置は、基体２１の底部に限定されるものではなく、化粧玩具１０を構成する部位であれば、任意である。
【００２６】
次に、装着体１１の構成を図４に基づいて説明する。
装着体１１（１１Ａ〜１１Ｇ）は、図４（ａ）および（ｂ）に示すように、装飾部１２と、装飾部１２の裏側に設けられる嵌合部１３と、を有する。装飾部１２と嵌合部１３との間には、装飾部１２および嵌合部１３よりも外形の小さい小径部１５が形成される。装飾部１２は、固有の形態（たとえば、リボンや果実等を模した形態）、あるいは、固有の色や模様によって構成される。
【００２７】
嵌合部１３は、小径部１５に連なる上壁部１３ａと、上壁部１３ａに連なる所定の外形形状の周壁部１３ｂと、からなる。周壁部１３ｂの外形は、全ての装着体１１において共通の形状であり、非円形等の異形（ここでは、ハート形）に形成される。周壁部１３ｂの外形を異形に形成することで、嵌合部１３には方向性が付与される。これにより、子供でも、装着体１１の装着向きを容易に認識することができる。この周壁部１３ｂの内周面には、対向する左右１対の位置決め用突起１６が設けられる。また、周壁部１３ｂの内周面には、装着体１１の識別情報を構成する識別部１７が設けられる。
【００２８】
識別部１７は、複数の識別箇所１７ａから構成される。各識別箇所１７ａでは、識別用突起１８が形成されるか、または、識別用突起１８が形成されないかのいずれかの形態が選択される。すなわち、複数の識別箇所１７ａにおける識別用突起１８の有無の組み合わせが、各装着体１１の識別情報となる。得られる識別情報の数は、識別箇所１７ａの個数によって決まる。たとえば、６個の識別箇所１７ａを設けた場合、２６＝６４（種類）の識別情報を得ることができ、６４種類の装着体１１を設定することができる。ただし、本実施形態では、識別情報の設定の一例として、これら６４種類の装着体１１のうち、７種類の装着体１１Ａ〜１１Ｇ（図２参照）を使用する。また、識別用突起１８を周壁部１３ｂに連ねて形成したことにより、識別用突起１８の破損を低減することができる。
【００２９】
次に、着脱部４０の構成を図５に基づいて説明する。
着脱部４０は、図５（ａ）および（ｂ）に示すように、表面２３から凹んだ凹部４１と、凹部４１の底面と表面２３との間に形成される棚部４２と、凹部４１の底面中央に設けられる嵌合穴４３と、を有する。棚部４２は、凹部４１を挟んで奥側および前側のそれぞれに設けられ、装着体１１の装飾部１２（図４参照）を支持可能である。凹部４１は、装着体１１よりも左右方向に幅広に形成される。これにより、凹部４１の左右両端部は、装着体１１が着脱部４０に装着された状態において、使用者の指が挿入可能な窪み部４５を形成する。
【００３０】
嵌合穴４３は、装着体１１の嵌合部１３（図４参照）と嵌合可能である。嵌合穴４３の底部には、装着体１１の位置決め用突起１６（図４参照）を案内する案内部４６と、装着体１１の識別用突起１８（図４参照）の有無を検知可能な複数（ここでは６本）の棒状の突起検知部４７（情報検知部）と、が設けられる。また、嵌合穴４３の内周面には、装着体１１に係合可能な係合部４８が設けられる。
【００３１】
案内部４６は、１対の壁部５１の間に形成される溝であり、左右方向に延びる。複数の突起検知部４７は、識別用突起１８（図４参照）の配置に対応するように、案内部４６の奥側および前側に配置される。ここでは、６個の突起検知部４７のうち、３個を奥側の壁部５１の近傍に配置し、残る３個を前側の壁部５１の近傍に配置する。また、壁部５１には、隣接する２つの突起検知部４７の間を仕切り、識別用突起１８（図４参照）の上下動を案内する仕切り部５２が設けられる。
【００３２】
次に、係合部４８の作用と突起検知部４７の作用を図６に基づいて説明する。
図６（ａ）および（ｂ）に示すように、係合部４８は、嵌合穴４３の内周面の奥側および前側のそれぞれに出没可能に設けられ、ばね等（図示省略）によって嵌合穴４３の中心に向けて常時付勢され、通常は突出している。係合部４８は、着脱される嵌合部１３の上下動に合わせて移動し（矢印（１））、装着体１１が装着された状態では、突出して装飾部１２と嵌合部１３との間に係合する。この係合部４８により、装着体１１は、しっかりと嵌合穴４３に保持される。したがって、使用者が化粧玩具１０（図１参照）を携帯して持ち歩いても、装着体１１が着脱部４０から外れることを防ぐことができる。なお、係合部４８の構成は、装着体１１の着脱に合わせて装着体１１に係合・離脱できる構成でれば、任意である。
【００３３】
突起検知部４７は、嵌合穴４３の底部に出没可能に設けられると共に、ばね等（図示省略）によって上方に常時付勢され、通常は突出している。各突起検知部４７は、装着体１１が装着されたとき、対応する識別用突起１８が無い場合は、嵌合穴４３の底面から突出したままである。一方、対応する識別用突起１８が有る場合は、突起検知部４７は、識別用突起１８に押し下げられて没入し（矢印（２））、識別用突起１８の存在を検知する。このようにして、各識別箇所１７ａ（図４参照）における識別用突起１８の存否が検知されることで、装着体１１の識別情報が基体２１側に取得される。
【００３４】
なお、図６（ｂ）に示すように、嵌合穴４３の深さｄは、嵌合部１３が嵌合穴４３に嵌合された状態で、装飾部１２の上面１２ａと表面２３とをほぼ同一平面上に位置させる大きさに設定される。
【００３５】
次に、模型体６０の構成を図７〜図１０に基づいて説明する。
図７に示すように、模型体６０は、使用者に把持される把持部６１と、把持部６１の裏側に設けられ化粧用パフを模したパフ部６２と、を有する。把持部６１は、円盤形状であり、表面側に電源スイッチ６３を有する。
【００３６】
図８に示すように、把持部６１のほぼ中央部には、使用者の指で挟まれる軸部６５が設けられる。軸部６５は、把持部６１の表面に対して出没可能であり、使用者の指の太さに合わせて、軸方向の長さが調整可能である（矢印（３））。また、軸部６５の先端には、使用者の指を軸部６５に保持するための鍔部６６が設けられる。また、把持部６１の外周面には、周溝６７が設けられる。
【００３７】
パフ部６２は、柔軟性を有する素材で袋状に形成される。パフ部６２は、縮径した開口縁６８を拡げて周溝６７に掛け止めることにより、把持部６１の裏面側に被着される。また、パフ部６２は、発光部（後述）の光を透過可能な材料および厚みで構成される。パフ部６２の材質としては、たとえば、表面が起毛した繊維材料が好適であるが、スポンジ、ゴム等を含む任意の材料から選択可能である。
【００３８】
図９に示すように、把持部６１の裏面材７１は、透明性を有する材料で構成される。裏面材７１の内側には、制御部（後述）、受信部７２および発光部７３（演出部の一例）（第２の発光部）を有する回路基板７５と、電池７６と、が設けられる。
【００３９】
受信部７２は、基体の送信部２７（図２参照）から送信される情報を受信する機能を有する。発光部７３は、ＬＥＤ等の発光体であり、ここでは、７色の光を発光できる、いわゆるマルチＬＥＤで構成される。
【００４０】
このように構成される模型体６０は、図１０に示すように、たとえば、パフ部６２を手前に向けた状態で、鏡部３２を覆うようにして蓋体２５の収納部３１に収納される。複数の保持部３３は、弾性変形するパフ部６２の外周部を局所的に押え、模型体６０を収納部３１に保持する。
【００４１】
次に、化粧玩具１０の内部の構成例を図１１に基づいて説明する。
図１１に示すように、基体２１の内部には、制御部７７が設けられる。制御部７７と電池３５は、電源スイッチ３７を介して接続される。これにより、電源スイッチ３７をＯＮにすると、制御部７７に電流が流れて制御が開始される。
【００４２】
制御部７７には、突起検知部４７、送信部２７、押圧部２６が接続される。また、制御部７７には、メモリ７８が接続されており、予め、装着体１１（１１Ａ〜１１Ｇ）の各々の識別情報に対する演出が設定されている。突起検知部４７で検知した装着体１１の識別情報は、制御部７７に送られ、制御部７７は、この識別情報に基づいて、発光部２８Ａ〜２８Ｇによる光の演出あるいは発音部３６による音の演出を行う。また、制御部７７は、押圧部２６が押圧されたとき、識別情報を送信部２７から送信する。また、制御部７７は、装着体１１が取り外されたときは、発光部２８Ａ〜２８Ｇあるいは発音部３６による光や音の演出を停止する。
【００４３】
なお、この例では、押圧部２６が押圧されたときに、送信部２７が識別情報を送信する設定としたが、押圧部２６の動作に関わらず、装着体１１が着脱部４０（図２参照）に装着されたときに、または、装着された後の任意の時期に、送信部２７が識別情報を送信するように設定してもよい。
【００４４】
模型体６０には、制御部８１が設けられる。制御部８１と電池７６は、電源スイッチ６３を介して接続される。これにより、電源スイッチ６３をＯＮにすると、制御部８１に電流が流れて制御が開始される。また、制御部８１には、メモリ８２が接続されており、予め、装着体１１（１１Ａ〜１１Ｇ）の識別情報に対する演出が設定されている。受信部７２は、送信部２７から送信される識別情報を受信し、制御部８１に送る。制御部８１は、この識別情報に基づいて、発光部７３による光の演出を行う。
【００４５】
次に、化粧玩具１０の動作例を図１２、図１３に基づいて説明する。
まず、使用者は、基体２１の電源スイッチ３７（図３参照）をＯＮにして、図１２（ａ）に示すように、基体２１の着脱部４０に任意の装着体（ここでは、装着体１１Ａ）を装着する。すると、装着体１１Ａの識別情報に基づいて、光の演出およびメロディや音声の演出が行われる。たとえば、装着体１１Ａの外観が赤色である場合、赤色の発光部２８Ａを発光したり、赤色の装着体１１Ａに関連するメロディや音声を基体の発音部３６（図３参照）から流したりする。
【００４６】
また、使用者は、任意のタイミングで、図１２（ｂ）に示すように、模型体６０の電源スイッチ６３をＯＮにし、図１２（ｃ）に示すように、軸部６５を延ばして指８３の太さに調整し、軸部６５を指８３で挟んで把持部６１を持つ。
【００４７】
そして、図１３（ａ）に示すように、模型体６０のパフ部６２で基体２１の押圧部２６を押す。この動作は化粧料容器内の仮想の化粧料を模型体６０のパフ部６２に付着させる動作を模したものである。これにより、装着体１１Ａ（図１２（ａ）参照）の識別情報が送信部２７から受信部７２（図９参照）に送られる。すると、基体の発音部３６（図３参照）からメロディや音声の演出が再度行われると同時に、装着体１１Ａの識別情報に基づいて、図１３（ｂ）に示すように、模型体６０の発光部７３により、光の演出が行われる。たとえば、装着体１１Ａが赤色である場合、マルチＬＥＤの発光部７３が赤色に発光する。このとき、パフ部６２が光を透過するため、使用者は、手に持った模型体６０の光を視認でき、その演出を楽しむことができる。
【００４８】
図１４に示すように、使用者８５は、発光した模型体６０のパフ部６２を使って、体を軽くたたくなどして、テレビ番組等の主人公のヒロインが行う変身を疑似体感し、「なりきり遊び」をすることができる。
【００４９】
以上に述べた本実施形態によれば、玩具本体２０とは別に構成される模型体６０から、光による演出が行われるため、従来の玩具にはない面白い演出を楽しむことができる。また、この模型体６０の演出は、装着体１１の識別情報に基づいて行われるため、装着体１１を交換することで、使用者は、より多くの種類の演出を楽しむことができる。
【００５０】
また、装着体１１の上面１２ａと基体２１の表面２３とをほぼ同一平面上に位置させたので、基体２１の押圧部２６がパフ部６２で押し易くなる。これに対し、装着体１１の上面１２ａが基体２１の表面２３よりも大きく張り出している場合、装着体１１によって、押圧部２６の操作が妨げられてしまう。この点、本実施形態では、装着体１１が押圧部２６の操作を妨げる心配がなく、子供でも容易にパフ部６２で押圧部２６を押すことができる。
【００５１】
また、装着体１１の左右両側には窪み部４５が形成されるので、使用者は、窪み部４５に指を入れて装着体１１を容易に摘まむことができる。よって、子供でも容易に装着体１１の着脱を行うことができる。
【００５２】
さらに、本実施形態では、模型体６０の軸部６５の軸方向の長さを調整可能とした。子供の指の太さは様々である。このため、軸部６５の長さが一定であると、軸部６５の長さが指に合わず、子供によっては、模型体６０をうまく把持できない場合がある。この点、本実施形態では、軸部６５の長さを指の太さに合わせることができ、模型体６０をしっかりと把持することができる。また、軸部６５が把持部６１から一定の長さで突出している場合、模型体６０を蓋体２５の収納部３１に収納しにくい。この点についても、実施形態では、軸部６５を把持部６１の中に没入させることで、模型体６０を収納部３１に容易に収納することができる。加えて、収納部３１も小さく構成できる。
【００５３】
以上、実施形態を用いて本発明を説明したが、本発明の技術的範囲は上記実施形態に記載の範囲には限定されないことは言うまでもない。上記実施形態に、多様な変更または改良を加えることが可能であることが当業者に明らかである。またその様な変更または改良を加えた形態も本発明の技術的範囲に含まれ得ることが、特許請求の範囲の記載から明らかである。
【００５４】
たとえば、装着体、発光部および発音部のそれぞれの個数や配置は、実施形態における構成に限定されるものではなく、玩具に求められる仕様に応じて任意に変更可能である。また、模型体における演出は、光による演出に格別に限定されるものではなく、音による演出あるいは音と光による演出を含め、任意の演出から選択可能である。
【符号の説明】
【００５５】
１０    化粧玩具
１１，１１Ａ〜１１Ｇ    装着体
１２    装飾部
１２ａ    上面
１３    嵌合部
１６    位置決め用突起
１８    識別用突起
２０    玩具本体
２１    基体（第１の部材）
２３    表面
２５    蓋体（第２の部材）
２６    押圧部
２７    送信部
２８Ａ〜２８Ｇ    発光部
３１    収納部
３２    鏡部
３３    保持部
４０    着脱部
４３    嵌合穴
４５    窪み部
４６    案内部
４７    突起検知部（情報検知部）
４８    係合部
５１    壁部
６０    模型体
６１    把持部
６２    パフ部
６５    軸部
７２    受信部
７３    発光部（演出部）
８３    使用者の指  
８５    使用者
ｄ    嵌合穴の深さ
【図１】
2013111474.tif 000003
【図２】
2013111474.tif 000004
【図３】
2013111474.tif 000005
【図４】
2013111474.tif 000006
【図５】
2013111474.tif 000007
【図６】
2013111474.tif 000008
【図７】
2013111474.tif 000009
【図８】
2013111474.tif 000010
【図９】
2013111474.tif 000011
【図１０】
2013111474.tif 000012
【図１１】
2013111474.tif 000013
【図１２】
2013111474.tif 000014
【図１３】
2013111474.tif 000015
【図１４】
2013111474.tif 000016